(57)【要約】  【課題】  据置型電子機器の底面を反射率の高い色により彩色し、その底面からの反射光を据置型電子機器下端から周囲に出射させて、その反射光の色に応じて趣のある風情を据置型電子機器周囲にかもしだす。  【解決手段】  据置型電子機器の底面を反射率の高い色により彩色する。すなわち、床上または卓上または高所の平面状台上に据置かれる据置型電子機器であって、電子機器の底面と下方部材との間がスペース確保手段により離間された、または電子機器の底面から下方へ突設部を設けた、または電子機器下方の部材から上方の底面に向けて突設部が設けられた据置型電子機器において、前記底面を反射率の高い色、蛍光色の色、高彩度の色等により彩色する。また、反射率の高い色として蛍光物質を用いることが好ましい。前記底面の一部に発光手段を設けることも可能である。【選択図】  図２
2005257970.tif 000002
【特許請求の範囲】
【請求項１】
機器本体の底面を反射率の高い色、蛍光色の色、高彩度の色のうちの少なくともひとつの色により彩色したことを特徴とする電子機器。
【請求項２】
請求項１に記載の電子機器において、
前記電子機器は据置型であることを特徴とする電子機器。
【請求項３】
床上または卓上または高所の平面状台上に据置かれる据置型電子機器であって、電子機器の底面と下方部材との間がスペース確保手段により離間された、または電子機器の底面から下方へ突設部を設けた、または電子機器下方の部材から上方の底面に向けて突設部が設けられた据置型電子機器において、
前記底面を反射率の高い色、蛍光色の色、高彩度の色のうちの少なくともひとつの色により彩色したことを特徴とする据置型電子機器。
【請求項４】
請求項３に記載の据置型電子機器において、
前記彩色する色として蛍光物質を用いたことを特徴とする据置型電子機器。
【請求項５】
請求項３または４に記載の据置型電子機器において、
前記底面の一部に発光手段を設けたことを特徴とする据置型電子機器。
【発明の詳細な説明】
【技術分野】
【０００１】
本発明は、床上または卓上または高所の平面状台上に据置くことができて底面を有する据置型電子機器に関し、詳しくは電子機器の底面を床面または卓上面等から浮かせて支持するとともにその底面に反射率の高い色により彩色を施した据置型電子機器に関する。
【背景技術】
【０００２】
従来、テレビ、ステレオ、スピーカ等の据置型電子機器は、床上または卓上等に据置かれ、床面または卓上面等に接する部分は、これら電子機器の底面が直接に当接するか、底面の四隅等に設けられたゴム足が当接して、底面は床面等から離間していた。通常、これら電子機器の底面は、それらを使用するユーザの目に直接触れられることはないためその彩色に気を配られることはなかった。なお、電子機器の脚部を発光させて注目を促すものとして特許文献１がある。
【特許文献１】実開平０２−６７３９０号公報
【発明の開示】
【発明が解決しようとする課題】
【０００３】
そこで本発明は、従来顧みられることのなかった据置型電子機器の底面に着目し、その底面に彩色を施して、その反射光により据置型電子機器の底面周囲に注目を喚起することを試みてみた。
【課題を解決するための手段】
【０００４】
上記課題を解決するために、本発明は、機器本体の底面を反射率の高い色、蛍光色の色、高彩度の色のうちの少なくともひとつの色により彩色した電子機器を特徴とする。
すなわち、床上または卓上または高所の平面状台上に据置かれる据置型電子機器であって、電子機器の底面と下方部材との間がスペース確保手段により離間された、または電子機器の底面から下方へ突設部を設けた、または電子機器下方の部材から上方の底面に向けて突設部が設けられた据置型電子機器において、前記底面を反射率の高い色、蛍光色の色、高彩度の色のうちの少なくともひとつの色により彩色したことを特徴とする。
なお、前記彩色する色として蛍光物質を用いることも可能である。
また、前記底面の一部に発光手段を設けることも可能である。
【発明の効果】
【０００５】
以上述べたように本発明によれば、据置型電子機器の底面を反射率の高い色、蛍光色の色、高彩度の色により彩色したことで、その底面からの反射光が据置型電子機器下端から周囲に出射されて、その反射光の色に応じて趣のある風情が据置型電子機器周囲にかもしだされる。
【発明を実施するための最良の形態】
【０００６】
以下、図に基づいて本発明の実施形態を説明する。
図１は本発明を卓上設置型のスピーカに適用した第１の実施形態を斜め下方から見た斜視図であり、図２はそのスピーカを卓上に置いた状態を示す外観図である。スピーカ本体１の底面２は反射率の高い色、蛍光色の色、高彩度の色のうちの少なくともひとつの色により彩色されている。底面２の四隅には４本の足３が突設されており、スピーカ本体１を卓上に置いた場合、底面２と卓上面５との間に、足３の高さ分の間隔が確保される。この間隔があるため、外部光により底面２が照射され、その底面２からの反射光が卓上面５に反射されて、スピーカ本体１の下端部分の周囲空間に出射される。なお、この出射光は、底面２の下方の間隔がある程、多くなるので、足３の高さはある程度以上必要となる。また、卓上面５についても白色等の反射率の高い方が好ましいので、スピーカ本体１の下に、白色の布や紙を敷くことが好ましい。
【０００７】
底面２の色は、赤やオレンジ等の反射率の高くかつ目立つ色が好ましいが、スピーカ本体１の側面の色と調和がとれるものが良い。また、底面２の色として、蛍光物質を用いたり、螢光塗料を塗布することも可能である。さらには、夜光塗料を塗布して、夜間、照明を消した後に発光させることも可能である。また、図示しないが、底面２の中央部分等に、ランプやＬＥＤ等の発光手段を配設して、底面２自体を発光させることも可能である。なお、発光手段を設けた場合、発光量をスピーカの音量に応じて増減することも可能である。また、発光手段を異なる色ごとに複数設け、それらの色をテレビ画面の番組内容やスピーカの音量に応じてミキシングする構成にすることも可能である。
【０００８】
図３は本発明を卓上設置型のスピーカに適用した第２の実施形態を斜め下方から見た斜視図であり、図４はそのスピーカを卓上に置いた状態を示す外観図である。この実施形態は、スピーカ本体３が図１および図２と同じ構成であり、足４の形状のみがコーン形で異なる。同様に、スピーカ本体１の底面２は反射率の高い色、蛍光色の色、高彩度の色のうちの少なくともひとつの色により彩色されている。この場合も、底面２の下方に足４により空間が形成されるため、底面２からの反射光が卓上面５に反射されて、スピーカ本体１の下端部分の周囲空間に出射される。
【０００９】
図５は上述した第１および第２の実施形態におけるスピーカ本体１を卓上に置いた場合のイメージを示す斜視図である。スピーカ本体１の下端周囲の卓上面５には、スピーカ本体１の底面２から反射された光がさらに反射して映り反射投影面６が形成される。この反射投影面６は底面２と同一の色により着色されており、他の卓上面の色と異なって見える。この反射投影面６は、卓上面の色が白で反射率が高い程、明瞭に着色されて見える。
【産業上の利用可能性】
【００１０】
本発明は、スピーカ以外に、テレビ、ステレオ、ラジオ、電子レンジ、電気スタンド、置き時計、ミキサー、ジューサ、トースター、電話機、ファクシミリ、プリンタ、パソコンおよびその付属機器、充電器、ヒータ、冷蔵庫、炊飯器、ポット、洗濯機、乾燥機、除湿器、加湿器、扇風機、ストーブ、ソファ型治療器等の電子機器、さらには家具等への利用が可能である。
【図面の簡単な説明】
【００１１】
【図１】本発明を卓上設置型のスピーカに適用した第１の実施形態の斜視図である。
【図２】図１のスピーカを卓上に置いた状態を示す外観図である。
【図３】本発明を卓上設置型のスピーカに適用した第２の実施形態の斜視図である。
【図４】図３のスピーカを卓上に置いた状態を示す外観図である。
【図５】第１および第２の実施形態を卓上に置いた場合の斜視図である。
【符号の説明】
【００１２】
１  スピーカ本体
２  底面
３，４足
５  卓上面
６  反射投影部
【図１】
2005257970.tif 000003
【図２】
2005257970.tif 000004
【図３】
2005257970.tif 000005
【図４】
2005257970.tif 000006
【図５】
2005257970.tif 000007